(57)【要約】【解決手段】カートンは、互いに取り付けられた状態で配置される、外側前部パネル、上部パネル、後部パネル、底部パネル、及び内側前部パネルから構成されており、外側前部パネルは、内側前部パネルに重ねられ、下側縁部には内側前部パネルへ取り付けられる取付条片を有している。取付条片は、外側前部パネル弱化領域を有しており、外側前部パネルが内側前部パネルから分離される際、この弱化領域が切断され、取付条片が内側前部パネルに取り付けられた状態で残されるようになっている。外側前部パネルには、取付条片の外側前部パネル弱化領域を切断することにより、取付条片をカートン側に残したまま、カートンを開封することができるようするための把持用タブが設けられている。【選択図】図２
2009528954.tif 000002
【特許請求の範囲】
【請求項１】
互いに取り付けられた状態で配置される、外側前部パネル、上部パネル、後部パネル、底部パネル、及び内側前部パネルを備えるカートンであって、
前記外側前部パネルは、前記内側前部パネルに重なっており、且つ、前記外側前部パネルの下側縁部に、前記内側前部パネルに取り付けられる取付条片を有しており、前記取付条片は、外側前部壁弱化領域を有しており、これにより、前記外側前部パネルが前記内側前部パネルから分離される際、前記弱化領域が切断されて、前記取付条片が前記内側前部パネルに取り付けられた状態で残される、カートン。
【請求項２】
前記内側前部パネル、底部パネル、後部パネル、及び上部パネルは、これらの長手方向端部の各々に横フラップを有している、請求項１に記載のカートン。
【請求項３】
前記外側前部パネルは、前記外側前部パネルの長手方向端部に横フラップを欠いている、請求項２に記載のカートン。
【請求項４】
前記外側前部パネルの前記弱化領域に隣接して、把持用タブが設けられている、請求項２に記載のカートン。
【請求項５】
前記把持用タブは、前記外側前部パネル弱化領域から分離される、請求項４に記載のカートン。
【請求項６】
前記上部パネルの前記横フラップは、上部パネル弱化領域により前記上部パネルから分離される、請求項２に記載のカートン。
【請求項７】
前記横フラップは、互いに折り重ねられて前記カートンの端部パネルを形成する、請求項２に記載のカートン。
【請求項８】
前記外側前部パネルの前記外側前部パネル弱化領域に隣接して、把持用タブが設けられている、請求項１に記載のカートン。
【請求項９】
前記把持用タブは、前記外側前部パネル弱化領域から分離される、請求項８に記載のカートン。
【請求項１０】
前記内側前部パネル、底部パネル、及び後部パネルは、これらの長手方向端部の各々に横フラップを有している、請求項１に記載のカートン。
【請求項１１】
前記外側前部パネルと上部パネルは、これらの前記長手方向端部に横フラップを欠いている、請求項１０に記載のカートン。
【請求項１２】
前記外側前部パネル弱化領域に隣接して、把持用タブが設けられている、請求項１１に記載のカートン。
【請求項１３】
前記把持用タブは、前記外側前部パネル弱化領域から分離される、請求項１２に記載のカートン。
【請求項１４】
前記横フラップは、互いに折り重ねられて前記カートンの端部パネルを形成する、請求項１０に記載のカートン。
【請求項１５】
互いに取り付けられた状態で配置される、外側前部パネル、上部パネル、後部パネル、底部パネル、及び内側前部パネルを備えるカートン用ブランクであって、
前記外側前部パネルは、前記外側前部パネルの下側縁部に、カートン形成時に前記内側前部パネルへ取り付けられる取付条片を有しており、前記取付条片は、外側前部パネル弱化領域を有しており、これにより、前記外側前部パネルが前記内側前部パネルから分離される際、前記外側前部パネル弱化領域が切断されて、前記取付条片が前記内側前部パネルに取り付けられた状態で残される、カートン用ブランク。
【請求項１６】
前記内側前部パネル、底部パネル、後部パネル、及び上部パネルは、これらの長手方向端部の各々に横フラップを有している、請求項１５に記載のカートン用ブランク。
【請求項１７】
前記外側前部パネルは、前記外側前部パネルの各長手方向端部に横フラップを欠いている、請求項１６に記載のカートン用ブランク。
【請求項１８】
前記外側前部パネル弱化領域に隣接して、把持用タブが設けられている、請求項１６に記載のカートン用ブランク。
【請求項１９】
前記把持用タブは、前記弱化領域から分離される、請求項１８に記載のカートン用ブランク。
【請求項２０】
前記上部パネルの前記横フラップは、弱化領域により前記上部パネルから分離される、請求項１６に記載のカートン用ブランク。
【発明の詳細な説明】
【技術分野】
【０００１】
本発明は、開封した際、収容された製品が明確に示される、不正開封防止構造を有する陳列カートンに関する。本発明は、更に、このカートンを製造するためのカートン用ブランクに関する。
【背景技術】
【０００２】
カートンには、製品の不正開封防止包装の必要性、及びカートンが開封されると製品が完全に示されるようにする必要性が絶えず存在する。カートンは、不正開封防止構造の全てがカートンと共に残り且つカートンを容易に開封するための把持手段を有する、不正開封防止構造を備えているべきである。先行技術によるカートンは陳列型であり、それらも不正開封防止構造を有している。米国特許第３，３７８，１８８号には、剥ぎ取り可能な不正開封防止開封帯を有する陳列カートンが開示されている。不正開封防止開封帯を掴んでカートンから剥ぎ取ると、カートンが開封される。このとき、剥ぎ取られた不正開封防止開封帯は廃棄される。同様の構造は、米国特許第３，２０６，１０２号、米国特許第３，３６８，７３８号、及び米国特許第３，３７９，３６１号にも開示されている。上記各特許は、１つ又は複数の剥ぎ取り可能な開封帯を有し、これによりカートンを開封できるようにしたカートンを開示している。しかしながら、これでは、廃棄しなければならない開封帯がゴミとして出ることになる。また、開封帯の中には、カートンを開封する際に掴み難いものもある。
【発明の開示】
【発明が解決しようとする課題】
【０００３】
本発明は、外側前部パネルを持ち上げ、次に上部パネルを持ち上げることによって簡単に開封することができ、カートンの中の製品が明確に示される陳列カートンに関する。このカートンは、カートンを閉じた状態に封印して不正開封防止機能を提供する役目を果たす取付条片を備えた外側前部パネルを有している。外側前部パネルは、更に、取付条片と外側前部壁の残り部分との間の弱化領域を切断することによりカートンを容易に開封できるようにする把持用タブが、取付条片に隣接して設けられている。カートンから取り除かれる部分を無くしたので、開封帯の様な廃棄する部分は無い。これにより、容易な開封と開封後に廃棄する包装部分を出さないという課題を解決した。
【課題を解決するための手段】
【０００４】
本発明は、互いに取り付けられた状態で配置される、外側前部パネル、上部パネル、後部パネル、底部パネル、及び内側前部パネルを有するカートンを備え、外側前部パネルは、内側前部パネルに重なっており、その下側縁部に内側前部パネルへ取り付けられる取付条片を有している。取付条片は、外側前部パネル弱化領域を有しており、これにより、外側前部パネルが内側前部パネルから分離される際に、この弱化領域が切断され、取付条片が内側前部パネルに取り付けられた状態で残されるようになっている。外側前部パネルの残りの部分は、内側前部パネルに取り付けられていない。内側前部パネル、底部パネル、後部パネル、及び随意的に上部パネル、は、これらの長手方向端部の各々に横フラップを有するが、外側前部パネルは横フラップを欠いている。上部パネルは、横フラップを欠いていてもよいが、横フラップを有する場合には、上部パネルと各横フラップの間に弱化領域を設けてカートンを開封し易くすることが好ましい。
【０００５】
カートンは、外側前部パネルの取付条片の外側前部パネル弱化領域に隣接して、但しこの弱化領域から分離された、把持用タブを有している。上記したように、上部パネルがフラップを備えている場合には、上部パネルとこれに付随する上部パネルフラップの間にも弱化領域を設けることができる。横フラップが互いに折り重ねられて、カートンの端部パネルが形成される。
【０００６】
カートン用ブランクは、外側前部パネル、上部パネル、後部パネル、底部パネル、及び内側前部パネルが互いに取付状態で配置されたものである。外側前部パネルは、その下側縁部に、カートン形成時に内側前部パネルに取り付けられる取付条片を有している。この取付条片は、弱化領域を有しており、これにより、外側前部パネルが内側前部パネルから分離される際に、この弱化領域が切断され、取付条片が内側前部パネルに取り付けられた状態で残るようになっている。外側前部パネルには、外側前部パネルを把持して取付条片近傍の弱化領域を切断することを支援するための把持用タブが設けられている。パネルの各々には、外側前部パネル及び随意的に上部パネルを除いて、各長手方向端部に、これに付随するフラップが付いている。
【発明を実施するための最良の形態】
【０００７】
これより図面を参照しながら、カートンの好ましい実施形態を説明する。なお、説明される実施形態には、説明される概念の範囲内で且つ本発明の範囲内で、変更を加えることができるものと理解されたい。
【０００８】
図１は、本発明の陳列カートンの斜視図である。カートンが開封されたとき、製品は完全且つ明確にカートン内に示される。カートン１０は、上部パネル１８と外側前部パネル２０を有している。カートンの左側には外側フラップ１６（ｂ）が設けられている。外側前部パネル２０は、外側前部パネル弱化領域２３を有する取付条片２２を有している。更に、カートンを開封するための把持用タブ２４が設けられている。把持用タブ２４を持ち上げると、外側前部パネル弱化領域２３が切断されて、外側前部パネル２０が持ち上げられる。これにより、上部パネル１８が持ち上げられ、カートンは完全に開かれる。外側前部パネル弱化領域は、穿孔領域、スロット付き領域、又は鋸歯状領域であってよい。目的は、把持用タブ２４を掴み、このタブを持ち上げることにより力が加えられたとき、この弱化領域に沿って材料が切断されるように、この領域を十分に弱くすることである。ただし、外側前部パネル弱化領域には、通常の出荷及び取扱いにより影響を受けないだけの構造的完全性がなくてはならない。
【０００９】
図２は、開放形態のカートンを示している。取付条片２２が取り付けられた状態の内側前部パネル１２が示されている。この内側前部パネルは、取付条片２２の弱化領域２３に沿って外側前部パネル２０から切り離されたものである。更に、後部壁１６、文章記載領域２６を有する上部壁１８の内側表面、及び文章記載領域２８を有する外側前部壁２０の内側表面も示されている。左側には後部壁フラップ１６（ｂ）、右側には内側前部壁フラップ１２（ａ）が図示されている。文章記載領域２６と２８は、製品についての追加情報を載せるために利用できる。この情報は、製品の利用に関する事前注意情報又は製品に付帯させねばならない規制情報であってよい。
【００１０】
図３は、図１のカートンを作るためのカートン用ブランク（ｂｌａｎｋ）の実施形態を示している。ここでは、凹部１３と、付随する長手方向フラップ１２（ａ）と１２（ｂ）を有する内側前部壁１２が示されている。内側前部壁１２には、付随する長手方向フラップ１４（ａ）と１４（ｂ）を有する底部壁１４が隣接して取り付けられている。この底部壁１４には、付随する長手方向フラップ１６（ａ）と１６（ｂ）を有する後部壁１６が隣接して取り付けられている。この後部壁１６には、更に、長手方向フラップ１８（ａ）と１８（ｂ）を有する上部壁１８が隣接して取り付けられている。随意的に、このフラップは、弱化領域１５（ａ）と１５（ｂ）を介して上部壁１８に取り付けられていてもよい。この実施形態では、フラップ１８（ａ）と１８（ｂ）は、その他のパネルのフラップに貼り合わされ、接着され、又は他のやり方で取り付けられて、端部パネルを形成することができる。弱化領域１５（ａ）と１５（ｂ）は、上部パネル１８の切り離しと開封を容易にするためのスロットであることが好ましい。凹部１３は、カートンの開封を支援する。カートンが部分的に開封されるときには、カートンを開封するためにより大きな力を加えることができるように、この凹部１３に指を挿入することができる。これは、外側前部パネルを内側前部パネル内に差し込んだときに、カートンを再開封するためにも役立つ。パネルとパネルの間及びパネルとフラップの間には折り返し用の折目線（ｓｃｏｒｅ  ｌｉｎｅ）が入っている。
【００１１】
図４のカートン用ブランクは、上部パネル１８に長手方向フラップが設けられていない点を除き、図３のものと同じである。同一部分には同じ符号を付けている。このブランク３２から形成されたカートンは、上部パネル１８から切り離されるか又は他のやり方で巧く操作されてカートンから上部パネル１８と共に取り除かれるべき、フラップ１８（ａ）と１８（ｂ）がないため、開封が更に容易である。
【００１２】
１つの手順では、カートン用ブランクは、内側前部パネル１２を折目線の箇所で底部パネル１４に対して上向きに折り曲げることによりカートンに形成することができる。次いで、後部パネル１６を折目線の箇所で底部パネル１４から上向きに折り曲げ、上部パネル１８を折目線の箇所で後パネル１６から折り被せる。次に、外側前部パネル２０を折目線の箇所で内側パネル１２に下向きに折り被せる。弱化領域２３、１５（ａ）及び１５（ｂ）は、通常、ブランクを大きなシート材料から切り出すことによりブランクを形成する際に、ブランクに形成される。カートン用ブランクは、他の折り曲げ順序でカートンに形成することもできる。一連の折り曲げ作業の後、カートンは一方の端部から充填され、折目線の箇所でフラップが折り重ねられて封止される。フラップは、カートンをシールすることのできるように活性化されることのできる接着条片又は接着点を有する。随意的には、カートンの一方の端部のフラップを折目線の箇所で折り重ねてシールし、製品を挿入して、その後に他方の端部のフラップを折目線の箇所で折り重ねてシールしてもよい。フラップの全てが接着剤を有している必要はない。フラップの全てが接着剤を有している場合は、基本的に、シール作業前にどの様な折り曲げ順序を使用してもよい。しかしながら、フラップ１６（ａ）／１６（ｂ）と１２（ａ）／１２（ｂ）だけが接着部を有している場合、フラップ１４（ａ）／１４（ｂ）と１８（ａ）／１８（ｂ）を最初に折り、次いでフラップ１６（ａ）／１６（ｂ）と１２（ａ）／１２（ｂ）を折り重ねると、フラップ１６（ａ）／１６（ｂ）と１２（ａ）／１２（ｂ）が接触して他方に接着される。一般にカートンをシールするために使用されるホットメルト接着剤を使用することが好ましい。但し、感圧接着剤又は他の接着剤を使用してもよい。
【００１３】
基本的には、あらゆる製品をこのカートンに包装することができる。１つの利点は、購買者が、カートンを開封すると製品を完全に確認できることである。また、文章情報用の追加のスペースも提供している。先に述べたとおり、これは、製品に関する事前注意情報でも、製品販売促進情報でもよい。店頭販売の医薬品及び歯磨剤の包装に有用であることが分かっている。
【００１４】
カートンは、カートンを作るために従来より使用されている板紙から作ることができる。これは、板紙でもよいし、１枚又はそれ以上のプラスチック層を重ねた積層板紙であってもよい。また、カートンは、全プラスチック製カートンであってもよい。しかし、板紙、又は板紙とプラスチックの積層カートン材料であることが好ましい。パネル同士は、折目線の箇所でカートン材料が折り曲げられた状態では、折目線により互いに区別される。各パネルとそれらに付随しているフラップの間にも折目線が設けられている。折目線は、それら領域での折り曲げ作業を円滑にする。折目線は、従来型のものでよく、従来の技法を使用して形成される。
【図面の簡単な説明】
【００１５】
【図１】カートンの斜視図である。
【図２】開封されたカートンの斜視図である。
【図３】カートン用ブランクの平面図である。
【図４】カートン用ブランクの随意的な実施形態である。
【図１】
2009528954.tif 000003
【図２】
2009528954.tif 000004
【図３】
2009528954.tif 000005
【図４】
2009528954.tif 000006
【国際調査報告】
2009528954.tif 000007
2009528954.tif 000008
2009528954.tif 000009